(57)【特許請求の範囲】
【請求項１】
断面が矩形で、太さが大部分、中部分及び小部分から成り、軸方向に３段スライド可能な２本の伸縮部材と、該２本の伸縮部材の軸方向両端に接続されたワイヤー掛部と、前記２本の伸縮部材の軸方向両端に回動可能に設けられた軸と、該軸に固定され、該軸と共に回動して配電盤筐体を引っ掛け或いは開放されるフックと、クレーンで吊り具を前記配電盤筐体に下降させた際に、前記配電盤筐体に対して吊り具を案内する案内羽根とを備え、
前記ワイヤー掛部には、前記クレーンで前記配電盤筐体をワイヤーで吊り上げる際に、前記ワイヤーの先端に取り付けられているフックを取付けるワイヤー先端フック取付け用穴が設けられていると共に、前記伸縮部材の大部分、中部分及び小部分に、前記伸縮部材がスライドした際に位置決めピンが挿入されて位置を固定する位置決めピン用穴が設けられて構成され、
前記クレーンにより吊上げられている前記吊り具を、前記配電盤筐体の上フレーム上に位置させ、その状態から前記吊り具が下がり、前記案内羽根で案内された前記フックが前記配電盤筐体の上フレームに当たると、前記フックが外側に開き、そのフックが外側に開いた状態で前記吊り具を下降し続け、最後まで下ろすと前記フックが元に戻り、前記配電盤筐体の上フレームの内部に前記フックの先端部が引っ掛かることで、前記吊り具が前記配電盤筐体に取付けられ、この状態で、前記ワイヤー先端フック取付け用穴に、クレーンからのフイヤー先端に設けられているフックを固定して吊り上げることで、前記配電盤筐体を次の作業工程へ移動することを特徴とする吊り具。
【発明の詳細な説明】
【技術分野】
【０００１】
本発明は吊り具に係り、例えば、配電盤筐体を吊り上げ移動する際に使用するのに好適な吊り具に関する。
【背景技術】
【０００２】
一般に、電鉄用変電所向けのＨＳＶＣＢ（High Speed Vacuum Circuit Breaker）盤、或いは一般産業・公共向けスイッチギヤ等の配電盤筺体(内部機器が配置されていない、から箱の状態)は、工場内の組立作業等における作業工程間を移動する際に、クレーン等を使用して移動作業が行われている。
【０００３】
この配電盤筺体のクレーン等を使用して行われている従来技術の移動作業は、先ず、作業員が、配電盤筺体の上部４隅に踏み台等を利用してアイボルトを固定し、その後、配電盤の上部４隅の各アイボルトにそれぞれワイヤーを取付け、このワイヤーをクレーンのフックに引っ掛けて配電盤筺体を吊り上げて行っている。
【０００４】
一方、配電盤筺体ではないが、物体を吊り具を介してクレーン等で吊り上げ搬送する技術が特許文献１乃至３に記載されている。
【０００５】
即ち、特許文献１には、間隔調整ビームを有する縦材と吊りビームを平面井桁状に組んだ吊り具を利用して、船舶又は吊り荷をクレーンで吊り上げることが記載されている。また、特許文献２には、定盤を吊り上げる吊り具であって、吊り具本体の案内穴と長穴部に対し、ホイストで上下させた時に移動するフック部材の楕円状の支軸の位置によって、吊りフックが開閉することが記載されている。更に、特許文献３には、クレーンで吊り具を吊り上げると、腕杆が下方へ回動して下向き把持爪が側溝用ブロック蓋をクランプして上昇し、設置場所で下ろすと腕杆が水平状態に戻って離すようにすることが記載されている。
【先行技術文献】
【特許文献】
【０００６】
【特許文献１】特開２００９−２９８５７７号公報
【特許文献２】特開平１１−５６８５号公報
【特許文献３】特開平９−１９４１８０号公報
【発明の概要】
【発明が解決しようとする課題】
【０００７】
しかしながら、作業員が配電盤の上部４隅の各アイボルトにそれぞれワイヤーを取付け、このワイヤーをクレーンのフックに引っ掛けて配電盤筺体を吊り上げて行っている従来の作業では、クレーンを操作する作業員と、踏み台に上りワイヤーをクレーンのフックに取り付けたりする作業員の二人の作業員が常時必要になるし、また、アイボルトやワイヤーをクレーンのフックに取り付けたりする取付けに時間が掛かる。更に、作業員の踏み台への昇降時に、作業員が踏み台を踏み外す危険性があり、安全面に問題がある。
【０００８】
一方、特許文献１乃至３には、物体を吊り具を介してクレーン等で吊り上げ搬送する技術しか記載されてなく、上述したような従来の作業における課題については記載がなく、特許文献１乃至３は、従来の作業における課題については、全く考慮されていないことは明らかである。
【０００９】
本発明は上述の点に鑑みなされたもので、その目的とするところは、踏み台等を使用することなく、一人の作業員が床上でのクレーン操作のみで、吊り上げ対象物への取付け、取外しが簡単に行える吊り具を提供することにある。
【課題を解決するための手段】
【００１０】
本発明の吊り具は、上記目的を達成するために、断面が矩形で、太さが大部分、中部分及び小部分から成り、軸方向に３段スライド可能な２本の伸縮部材と、該２本の伸縮部材の軸方向両端に接続されたワイヤー掛部と、前記２本の伸縮部材の軸方向両端に回動可能に設けられた軸と、該軸に固定され、該軸と共に回動して配電盤筐体を引っ掛け或いは開放されるフックと、クレーンで吊り具を前記配電盤筐体に下降させた際に、前記配電盤筐体に対して吊り具を案内する案内羽根とを備え、前記ワイヤー掛部には、前記クレーンで前記配電盤筐体をワイヤーで吊り上げる際に、前記ワイヤーの先端に取り付けられているフックを取付けるワイヤー先端フック取付け用穴が設けられていると共に、前記伸縮部材の大部分、中部分及び小部分に、前記伸縮部材がスライドした際に位置決めピンが挿入されて位置を固定する位置決めピン用穴が設けられて構成され、前記クレーンにより吊上げられている前記吊り具を、前記配電盤筐体の上フレーム上に位置させ、その状態から前記吊り具が下がり、前記案内羽根で案内された前記フックが前記配電盤筐体の上フレームに当たると、前記フックが外側に開き、そのフックが外側に開いた状態で前記吊り具を下降し続け、最後まで下ろすと前記フックが元に戻り、前記配電盤筐体の上フレームの内部に前記フックの先端部が引っ掛かることで、前記吊り具が前記配電盤筐体に取付けられ、この状態で、前記ワイヤー先端フック取付け用穴に、クレーンからのフイヤー先端に設けられているフックを固定して吊り上げることで、前記配電盤筐体を次の作業工程へ移動することを特徴とする。
【発明の効果】
【００１１】
本発明によれば、踏み台等を使用することなく、一人の作業員が床上でのクレーン操作のみで、吊り上げ対象物への取付け、取外しが簡単に行える効果がある。
【図面の簡単な説明】
【００１２】
【図１】本発明の吊り具の一実施例を示す斜視図である。
【図２】図１の正面図である。
【図３】図１の側面図である。
【図４】図１の平面図である。
【図５】図１の吊り具が縮小した状態を示す斜視図である。
【図６】本発明の吊り具のフックを吊り上げ対象物へ取付ける工程を示す図である。
【図７】本発明の吊り具のフックが、吊り上げ対象物に取り付けられた状態の拡大を示す図６（ニ）のＡ部拡大図である。
【図８】本発明の吊り具を、配電盤筺体に取付けた状態を示す斜視図である。
【図９】図８の正面図である。
【図１０】図８の側面図である。
【発明を実施するための形態】
【００１３】
以下、図示した実施例に基づいて本発明の吊り具を説明する。
【実施例１】
【００１４】
本発明の吊り具の実施例１を、図１乃至図４に示す。
【００１５】
該図に示す如く、本発明の吊り具１は、断面が矩形で、太さが大部分（２Ａ１、２Ｂ１）、中部分（２Ａ２、２Ｂ２）、小部分（２Ａ３、２Ｂ３）から成り、軸方向に３段スライド可能（釣り竿方式）な２本の伸縮部材２Ａ、２Ｂと、この２本の伸縮部材２Ａ、２Ｂの軸方向両端に接続されたワイヤー掛部３Ａ、３Ｂと、２本の伸縮部材２Ａ、２Ｂの軸方向両端に回動可能に設けられた軸４Ａ、４Ｂと、この軸４Ａ、４Ｂに固定され、軸４Ａ、４Ｂと共に回動して吊り上げ対象物を引っ掛け、或いは開放されるフック５Ａ、５Ｂと、クレーンで吊り具１を吊り上げ対象物に下降させたときに、吊り上げ対象物に対して吊り具１を案内する案内羽根６Ａ、６Ｂと、フック５Ａ、５Ｂを吊り上げ対象物から外すためのフック開放ホイール７Ａ、７Ｂとから概略構成されている。
【００１６】
上述したフック開放ホイール７Ａ、７Ｂは、取り付けられている紐(図示せず)を引くことにより、円板形状の部材が回り、軸４Ａ、４Ｂが回転することで、フック５Ａ、５Ｂが吊り上げ対象物から外れるようになっている。
【００１７】
また、ワイヤー掛部３Ａ、３Ｂには、クレーンで吊り上げ対象物をワイヤーで吊り上げるときに、ワイヤーの先端に取り付けられているフックを取付けるワイヤー先端フック取付け用穴８が設けられている。
【００１８】
尚、９は２本の伸縮部材２Ａ、２Ｂ間に設けられた補強部材、１０は伸縮部材２Ａ、２Ｂの大部分（２Ａ１、２Ｂ１）、中部分（２Ａ２、２Ｂ２）、小部分（２Ａ３、２Ｂ３）に設けられた位置決めピン用穴で、この位置決めピン用穴１０に位置決めピン（図示せず）挿入され、伸縮部材２Ａ、２Ｂがスライドした際の位置を固定するものである。
【００１９】
図５は、吊り具１が縮小した状態を示す。即ち、図１に示した伸縮部材２Ａ、２Ｂの大部分（２Ａ１、２Ｂ１）、中部分（２Ａ２、２Ｂ２）、小部分（２Ａ３、２Ｂ３）が３段スライド伸長した状態から、伸縮部材２Ａ、２Ｂの大部分（２Ａ１、２Ｂ１）、中部分（２Ａ２、２Ｂ２）、小部分（２Ａ３、２Ｂ３）が縮小された状態を示すものである。
【００２０】
これは、上述したＨＳＶＣＢ盤は、長さが長いので図１に示した伸縮部材２Ａ、２Ｂの大部分（２Ａ１、２Ｂ１）、中部分（２Ａ２、２Ｂ２）、小部分（２Ａ３、２Ｂ３）が３段スライド伸長した状態で使用され、一方、一般産業・公共向けスイッチギヤ等の配電盤筺体は、長さがＨＳＶＣＢ盤より短いので、図５に示した伸縮部材２Ａ、２Ｂの大部分（２Ａ１、２Ｂ１）、中部分（２Ａ２、２Ｂ２）、小部分（２Ａ３、２Ｂ３）が縮小された状態で使用されるものである。
【００２１】
次に、上述した本実施例の吊り具１を、配電盤筺体に取付ける工程を図６を用いて説明する。
【００２２】
先ず、クレーンにより吊上げられている吊り具１を、配電盤筺体の上フレーム２１上に位置させる（図６の（イ）の状態）。その状態から吊り具１が下がり、案内羽根６Ａで案内されたフック５Ａが配電盤筺体の上フレーム２１に当たると、フック５Ａが自動的に外側に開く（図６の（ロ）の状態）。そのフック５Ａが外側に開いた状態で吊り具１を下降し続ける（図６の（ハ）の状態）。最後まで下ろすとフック５Ａが元に戻り、配電盤筺体の上フレーム２１の内部にフック５Ａの先端部が引っ掛かる（図６の（ニ）の状態）ことで、吊り具１が配電盤筺体に取付けられる。
【００２３】
図６の（ニ）のＡ部詳細を図7に示す。該図の如く、配電盤筺体の上フレーム２１の内部にフック５Ａの先端部が引っ掛かり、吊り具１が配電盤筺体に取付けられていることが分かる。
【００２４】
図８乃至図１０は、本実施例の吊り具１が、配電盤（例えば、ＨＳＶＣＢ盤）筺体２０に取付けられている状態を示すものである。
【００２５】
該図に示す如く、配電盤筺体２０の上フレーム２１上に吊り具１が取付けられており、この状態で、吊り具１のワイヤー先端フック取付け用穴８に、クレーンからのワイヤー先端に設けられているフックを固定して、クレーンで吊り上げることで、配電盤筺体２０を次の作業工程へ移動することができる。
【００２６】
このような本実施例の構成とすることにより、従来の作業のような踏み台等を使用する必要がなくなり、安全であることは勿論、配電盤筺体２０への取付けも一人の作業員が床上でクレーンを操作するだけで行うことができ（耐荷重１０００kgの運搬が可能）、配電盤筺体２０への取付け、取外しが簡単に行える。
【００２７】
また、本発明の吊り具は、スライドできる構造であることから、寸法の違う吊り上げ対象物（配電盤筺体）に対しても、その寸法に合わせてスライドさせて使用が可能であり、利用範囲が広がる効果がある。
【００２８】
尚、本発明は上記した実施例に限定されるものではなく、様々な変形例が含まれる。例えば、上記した実施例は本発明を分かり易く説明するために詳細に説明したものであり、必ずしも説明した全ての構成を備えるものに限定されるものではない。また、ある実施例の構成の一部を他の実施例の構成を置き換えることが可能であり、また、ある実施例の構成に他の実施例の構成を加えることも可能である。また、各実施例の構成の一部について、他の構成の追加・削除・置換をすることが可能である。
【符号の説明】
【００２９】
１…吊り具、２Ａ、２Ｂ…伸縮部材、２Ａ１、２Ｂ１…伸縮部材の太さが大部分、２Ａ２、２Ｂ２…伸縮部材の太さが中部分、２Ａ３、２Ｂ３…伸縮部材の太さが小部分、３Ａ、３Ｂ…ワイヤー掛部、４Ａ、４Ｂ…軸、５Ａ、５Ｂ…フック、６Ａ、６Ｂ…案内羽根、７Ａ、７Ｂ…フック開放ホイール、８…ワイヤー先端フック取付け用穴、９…補強部材、１０…位置決めピン用穴、２０…配電盤筺体、２１…配電盤筺体の上フレーム。
【図１】
0005859904.tif 000002
【図２】
0005859904.tif 000003
【図３】
0005859904.tif 000004
【図４】
0005859904.tif 000005
【図５】
0005859904.tif 000006
【図６】
0005859904.tif 000007
【図７】
0005859904.tif 000008
【図８】
0005859904.tif 000009
【図９】
0005859904.tif 000010
【図１０】
0005859904.tif 000011